(57)【特許請求の範囲】
【請求項１】
光源から発せられた光をライン状の読み取り領域に向けて進行させるための照明用光路および上記読み取り領域に対向して開口するレンズアレイ保持用有底凹部を形成しているケースと、上記凹部に上方から嵌め込まれているレンズアレイと、このレンズアレイの上記読み取り領域寄りの上部にその長手方向について部分的に係合するように上記ケースに設けられた１以上の係合用凸部と、上記読み取り領域から進行してくる光を上記レンズアレイないし上記凹部の底部に設けたスリットを介して受光し、かつその受光量に対応した出力レベルの画像信号を出力する複数の受光素子と、これら複数の受光素子を囲むカバー体と、を備えている、画像読み取り装置であって、
上記レンズアレイの下部は、上記係合用凸部の下方の箇所においては上記カバー体に設けた突起に接触させられ、それ以外の箇所においては上記凹部の底部に支持されていることを特徴とする、画像読み取り装置。
【請求項２】
上記カバー体は、黒または黒に近い暗色である、請求項１に記載の画像読み取り装置。
【請求項３】
上記レンズアレイは、一定方向に延びるブロック状のホルダ内に複数のレンズが列状に並べられて保持されたものであり、かつ上記カバー体には、上記ホルダの側面に接触させるための第１の面と上記ホルダの下面に接触させるための第２の面とが繋がって形成されている、請求項１または２に記載の画像読み取り装置。
【請求項４】
上記ケースには、上記凹部に繋がり、かつ上記レンズアレイを固定するための接着剤が充填された穴部が下方に開放するようにして設けられているとともに、上記レンズアレイの下部における上記穴部と反対側の箇所は、その長手方向について上記穴部に対応する箇所においても上記カバー体に設けた突起に接触させられている、請求項１ないし３のいずれかに記載の画像読み取り装置。
【発明の詳細な説明】
【０００１】
【発明の属する技術分野】
本願発明は、原稿の画像を読み取るのに用いられる画像読み取り装置に関する。なお、本明細書でいう原稿とは、画像読み取り対象物の意であり、シート状のものに限定されない。
【０００２】
【従来の技術】
従来、画像読み取り装置の一例としては、本願出願人が提案した特開平１１−２１５３０１号公報に記載のものがある。この画像読み取り装置は、本願の図６に示すように、透明板９０を上面部に装着しているケース９１を白色の合成樹脂製とすることにより、このケース９１内に設けられている照明用光路９２の壁面９２ａ〜９２ｃを白色としたものである。照明用光路９２の底部には、たとえばＬＥＤからなる複数の光源９３が主走査方向（紙面と直交する方向）に適当な間隔で列状に並べられている。透明板９０の下方には、複数のレンズ９４ａを有するレンズアレイ９４や複数の受光素子９５が設けられている。複数の受光素子９５は、黒色のカバー体９７によって囲まれている。
【０００３】
このような構成によれば、各光源９３から発せられた光を白色の壁面９２ａ〜９２ｃによって高い反射率で反射させながら透明板９０に向けて進行させることができる。透明板９０の表面部分のうち、レンズアレイ９４の正面（直上）部分が、ライン状の読み取り領域Ｓｅである。透明板９０上に原稿（図示略）が載置されると、この原稿によって反射された光は、レンズアレイ９４によって集束され、各受光素子９５上には原稿の画像が結像する。すると、各受光素子９５からはその受光量に対応した出力レベルの画像信号が出力される。各受光素子９５は、光吸収率の高いカバー体９７によって囲まれているために、各受光素子９５の周囲において光が散乱反射しないようにすることができ、散乱光が各受光素子９５によって受光されることも適切に防止することができる。
【０００４】
【発明が解決しようとする課題】
上記した画像読み取り装置においては、レンズアレイ９４をケース９１内に組み込むための手段として、ケース９１に設けた凹部９６にレンズアレイ９４を嵌め込む手段が採用されている。ただし、このような嵌め込み手段だけでは、レンズアレイ９４が凹部９６から抜け出る虞れがある。また、凹部９６からレンズアレイ９４が抜け出ない場合であっても、たとえばレンズアレイ９４が温度変化などに起因して上方に反るように変形する虞れもある。このため、たとえば図７に示すように、ケース９１には、レンズアレイ９４の上方に位置する係合用凸部９７を一体形成し、この係合用凸部９７によってレンズアレイ９４が上方へ移動または変形することを阻止することが望まれる。
【０００５】
しかしながら、このようなケース９１を樹脂成形する場合には、係合用凸部９７の下方にこの係合用凸部９７の下向き面９７ａを規定するための金型（図示略）を配置させる必要が生じる。したがって、この金型の存在により、凹部９６は係合用凸部９７の下方において底面を有しないものとなる。より具体的には、図６に示す構造においては、凹部９６の下部に上向きの底面９６ａを形成することができるものの、図７に示すように、係合用凸部９７を形成する場合には、その下方に底面９６ａを形成することが困難となる。このため、従来では、照明用光路９２からレンズアレイ９４と凹部９６の側壁９６ｂとの隙間内に進入した光が、係合用凸部９７の下方において各受光素子９５に向けて漏れ易くなる。ところが、このような現象を生じたのでは、上記光が各受光素子９５によってノイズとして受光されることとなり、読み取り画像の質低下を招く。
【０００６】
本願発明は、このような事情のもとで考え出されたものであって、レンズアレイをケースに固定させる場合に、ノイズとなる余分な光が受光素子によって受光されないようにし、読み取り画像の質を高めることができるようにすることをその課題としている。
【０００７】
【発明の開示】
上記の課題を解決するため、本願発明では、次の技術的手段を講じている。
【０００８】
本願発明によって提供される画像読み取り装置は、光源から発せられた光をライン状の読み取り領域に向けて進行させるための照明用光路および上記読み取り領域に対向して開口するレンズアレイ保持用有底凹部を形成しているケースと、上記凹部に上方から嵌め込まれているレンズアレイと、このレンズアレイの上記読み取り領域寄りの上部にその長手方向について部分的に係合するように上記ケースに設けられた１以上の係合用凸部と、上記読み取り領域から進行してくる光を上記レンズアレイないし上記凹部の底部に設けたスリットを介して受光し、かつその受光量に対応した出力レベルの画像信号を出力する複数の受光素子と、これら複数の受光素子を囲むカバー体と、を備えている、画像読み取り装置であって、上記レンズアレイの下部は、上記係合用凸部の下方の箇所においては上記カバー体に設けた突起に接触させられ、それ以外の箇所においては上記凹部の底部に支持されていることを特徴としている。
【０００９】
本願発明でいう「係合用凸部の下方」とは、レンズアレイの光軸方向両端部のうち、読み取り領域寄りの一端部を上部とし、かつその他端部を下部とするように、本願発明に係る画像読み取り装置を一定の姿勢に設定した場合における係合用凸部の下方を意味している。もちろん、本願発明に係る画像読み取り装置を実際に使用するときの姿勢は、上記した姿勢に限定されるものではない。
【００１０】
本願発明に係る画像読み取り装置においては、上記ケースの凹部の側壁と上記レンズアレイとの間に光が進入し、上記係合用凸部の下方に向けてこの光が進行しても、上記カバー体に設けた突起と上記レンズアレイの下部とがその部分において接触していることにより、上記光がそれ以上進行しないようにすることができる。したがって、従来とは異なり、上記係合用凸部の下方において上記各受光素子に向けての不当な光の漏れが生じないようにすることができ、ノイズとなる余分な光が上記各受光素子によって受光されないようにすることができる。その結果、上記係合用凸部による上記レンズアレイの適正な位置決め固定を図りつつ、読み取り画像の質を高めることが可能となる。
【００１１】
本願発明の好ましい実施の形態においては、上記カバー体は、黒または黒に近い暗色である。このような構成によれば、上記カバー体は、受けた光を高い吸収率で吸収することとなり、余分な光が上記各受光素子に向けて進行することをより確実に防止することが可能となる。
【００１２】
本願発明の他の好ましい実施の形態においては、上記レンズアレイは、一定方向に延びるブロック状のホルダ内に複数のレンズが列状に並べられて保持されたものであり、かつ上記カバー体には、上記ホルダの側面に接触させるための第１の面と上記ホルダの下面に接触させるための第２の面とが繋がって形成されている。このような構成によれば、上記カバー体の第１の面を上記ホルダの側面に接触させていることによって、上記凹部の側壁と上記レンズアレイとの間を通過してきた光を遮ることができる。また、仮に上記第１の面と上記ホルダの側面との接触が不十分であって、それらの間を光が進行しても、この光はその後上記カバー体の第２の面に到達することとなり、この第２の面によって確実に遮断されることとなる。したがって、上記カバー体による光の遮断を確実なものにすることが可能となる。
【００１３】
本願発明の他の好ましい実施の形態においては、上記ケースには、上記凹部に繋がり、かつ上記レンズアレイを固定するための接着剤が充填された穴部が下方に開放するようにして設けられているとともに、上記レンズアレイの下部における上記穴部と反対側の箇所は、その長手方向について上記穴部に対応する箇所においても上記カバー体に設けた突起に接触させられている。このような構成によれば、上記接着剤の接着作用により、上記レンズアレイの固定がより確実化される。また、上記接着剤が充填された穴部に長手方向について対応する箇所においても上記レンズアレイと上記凹部の側壁との間を光が不当に通過して上記各受光素子に向けて進行することを、上記レンズアレイの下部と上記カバー体に設けた突起との接触により適切に阻止することが可能となる。さらに、上記接着剤が充填された穴部は、上記照明用光路に向けて開口していないために、照明用光路の壁面の光の反射具合を各所均一に揃えることが可能となる。すなわち、上記穴部が上記照明用光路に向けて開口していたのでは、この開口部分とこれ以外の部分との光の反射具合が相違することとなり、たとえば上記読み取り領域の長手方向のうち、上記穴部に近い部分の照度が他の部分の照度よりも低くなるような虞れがある。これに対し、上記構成によればそのような虞れがなく、上記読み取り領域の長手方向各所の照度の均一化を図り、読み取り画像の質をより高めることが可能となる。
【００１４】
本願発明のその他の特徴および利点については、以下に行う発明の実施の形態の説明から、より明らかになるであろう。
【００１５】
【発明の実施の形態】
以下、本願発明の好ましい実施の形態について、図面を参照しつつ具体的に説明する。
【００１６】
図１は、本願発明に係る画像読み取り装置の一例を示す断面図である。図２は、その分解斜視図である。図３および図４は、図１に示す画像読み取り装置の他の部分の構造を示す断面図である。
【００１７】
図１および図２によく表れているように、本実施形態の画像読み取り装置Ａは、ケース１、透明板２、レンズアレイ３、カバー体４、基板５、光源としての複数のＬＥＤチップ６、複数の受光素子７および一対のアタッチメント８を具備して構成されている。
【００１８】
ケース１は、たとえばポリカーボネートに酸化チタンを含有させた白色の合成樹脂製であり、各所の表面は全て光反射率の高い白色面となっている。このケース１の全体形状は一定方向に延びる略直方体状である。ただし、このケース１には、後述するように、照明用光路１４、凹部１０および穴部１７などが設けられている。
【００１９】
透明板２は、たとえば長矩形の平板状であり、ガラス製または合成樹脂製である。この透明板２は、ケース１の上面部に装着されている。この透明板２の裏面２ｂには、白色の光反射面２０がこの透明板２の長手方向に延びる帯状に設けられている。光反射面２０は、透明板２の裏面２ｂの光の透過が可能な領域を一定の幅Ｌに狭めることにより、透明板２に向けて進行してきた光の多くが読み取り領域Ｓ以外の領域に向けて無駄に漏れ出ることを防止するのに役立つ。この光反射面２０は、たとえば透明板２に白色塗装を施すことにより、あるいはテープ状またはフィルム状の白色部材を接着することにより設けられている。原稿Ｄは、透明板２の表面２ａ上に供給され、プラテンローラＰの回転により表面２ａに接触するようにして副走査方向（図１の左右方向）に搬送される。ただし、この画像読み取り装置Ａをハンディスキャナとして用いる場合には、画像読み取り装置Ａの全体が使用者により把持されて上下反転された姿勢にされるなどして、透明板２の表面２ａが所望の原稿に対向配置される。
【００２０】
レンズアレイ３は、合成樹脂製の一定方向に延びる細長なブロック状のホルダ３０に、複数のレンズ３１を列状に配列させて保持させたものであり、各レンズ３１としては、たとえば原稿画像を正立等倍に結像可能なセルフォックレンズが用いられている。ただし、これ以外のレンズ、たとえば凸レンズあるいは複数の凸レンズを組み合わせたレンズを用いることもできる。このレンズアレイ３は、ケース１に設けられた凹部１０に嵌め込まれていることにより、透明板２の裏面２ｂに対向するようにしてケース１に組み付けられている。透明板２の表面２ａおよびこの表面２ａに対面する空間領域のうち、各レンズ３１の正面（直上）の領域が、ライン状の読み取り領域Ｓである。
【００２１】
ケース１には、凹部１０の上部開口縁に繋がった壁面１５ｃが形成されており、この壁面１５ｃには、図３によく表れているように、レンズアレイ３の固定を図るための複数の係合用凸部１８が設けられている。各係合用凸部１８は、凹部１０にその上方からレンズアレイ３を嵌め込むことを許容する一方、レンズアレイ３を凹部１０に嵌め込んだ後にはレンズアレイ３のホルダ３０の上端に係合してその上昇を阻止できるように、凹部１０の直上に位置している。金型を利用してケース１を樹脂成形する際には、各係合用凸部１８の下面１８ａを金型によって規定する必要がある。このため、凹部１０の長手方向各所のうち、各係合用凸部１８が形成された箇所においては、図１に見られるような底面１０ａが設けられていない構成となっている。後述するように、この画像読み取り装置Ａにおいては、この部分における光の漏れがカバー体４によって防止される構造となっている。図２によく表れているように、これら複数の係合用凸部１８はケース１の長手方向に適当な幅を有するものであり、ケース１の長手方向に間隔を隔てて設けられている。図面においては、係合用凸部１８を２箇所のみ設けた構成とされているが、その具体的な数は限定されない。ただし、係合用凸部１８をケース１の長手方向に多く設けるほど、レンズアレイ３の固定を確実なものにすることができ、さらにはレンズアレイ３の反り変形を防止するのにも好ましいものとなる。
【００２２】
図４によく表れているように、ケース１には、凹部１０に繋がった穴部１７も設けられており、この穴部１７の上部にはレンズアレイ３の一側面に接着する接着剤３９が充填されている。これにより、レンズアレイ３のより確実な固定が図られている。穴部１７は、ケース１の底面部方向に開口するように設けられたものであり、この穴部１７が形成された箇所においても、凹部１０は、図１に見られるような底面１０ａを有しない構成となっている。穴部１７は、各係合用凸部１８の形成箇所を避けるようにして、たとえばレンズアレイ３の長手方向中央部に一箇所のみ設けられている。ただし、穴部１７を複数箇所設けた構成とすることもできる。
【００２３】
穴部１７への接着剤３９の充填作業は、たとえば図５に示すように、凹部１０にレンズアレイ３が嵌め込まれたケース１を上下反転させて状態において、穴部１７の上向きとされた開口部１７ａからその内部に接着剤３９を流し込めばよい。接着剤３９としては、たとえば紫外線硬化樹脂を用いることが可能である。紫外線硬化樹脂を用いれば、接着剤を短時間で硬化させることができるために、画像読み取り装置の生産速度を高めるのに有利となる。ただし、本願発明においては、接着剤３９の具体的な種類もこれに限定されない。
【００２４】
図１によく表れているように、複数の受光素子７は、基板５の表面（上面）に列状に並べられて実装されており、基板５がケース１の底面部に組み付けられていることにより、各レンズ３１の直下に配置されている。各受光素子７は、光電変換機能を有しており、原稿Ｄの表面によって反射されて各レンズ３１を通過してきた光を受けると、その受光量に対応した出力レベルの画像信号を出力するように構成されている。ケース１に対する基板５の組み付けは、各アタッチメント８の幅方向中央部を基板５の裏面に当接させるとともに、アタッチメント８の幅方向両端部をケース１に設けられている凸部１２に係合させることにより行われている。
【００２５】
カバー体４は、たとえば黒色のＡＢＳ樹脂であり、各部の表面は光の反射率が低い黒色とされている。このカバー体４は、複数の受光素子７の周囲における光の散乱反射を防止するように複数の受光素子７を囲み込むようにしてケース１に装着されている。また、穴部１７の開口部１７ａは、このカバー体４によって閉塞されている。カバー体４をケース１に位置決め装着するための手段としては、カバー体４の上部に設けられた複数の第１の突起４０を、ケース１に設けられている複数の凹部１３に嵌入させる手段を採用することができる。カバー体４には、読み取り領域Ｓから各レンズ３１を透過してきた光を通過させるためのスリット４１が設けられている。
【００２６】
図２によく表れているように、カバー体４には、上向き状の複数対の第２の突起４２および１つの第３の突起４３も設けられている。図３によく表れているように、各係合用凸部１８の下方には、凹部１０に繋がった一対の凹部１３ａが設けられており、これら一対の凹部１３ａに一対の第２の突起４２が嵌入している。各第２の突起４２には、レンズアレイ３のホルダ３０の下部側面に対面接触する第１の面４２ａと、ホルダ３０の下面に対面接触する第２の面４２ｂとが繋がって形成されており、一対の第２の突起４２どうしの間にレンズアレイ３の下部が挟み込まれた構成となっている。第３の突起４３は、図４によく表れているように、凹部１０および穴部１７のそれぞれに繋がって設けられた凹部１３ｂに嵌入している。この第３の突起４３には、レンズアレイ３の穴部１７とは反対側の下部側面に対面接触する第１の面４３ａと、ホルダ３０の下面に対面接触する第２の面４３ｂとが繋がって形成されている。
【００２７】
複数のＬＥＤチップ６は、複数の受光素子７と平行な列状に適当なピッチで並べられて基板５の表面に実装されており、ケース１内の照明用光路１４内の下部に配置されている。基板５には、外部から各ＬＥＤチップ６や各受光素子７に対して電力供給や各種の信号の入出力を行わせるための配線パターン（図示略）や、この配線パターンに導通するコネクタ６０が設けられている（図２参照）。
【００２８】
照明用光路１４は、３つの壁面１５ａ〜１５ｃを含む複数の壁面によって規定されている。２つの壁面１５ａ，１５ｂは、ケース１の底面部分から上方に向けて立ち上がった壁面である。壁面１５ａ〜１５ｃは、いずれも光の反射率が高い白色のままである。読み取り領域Ｓの直下には、レンズアレイ３や複数の受光素子７が位置しており、この部分に重ねて各ＬＥＤチップ６を設けることはできないため、各ＬＥＤチップ６は読み取り領域Ｓに対して副走査方向に位置ずれして設けられている。したがって、壁面１５ａ，１５ｂは、ケース１の底部から上方へ進むにしたがって読み取り領域Ｓ寄りとなるようにその一部または全体が傾斜した形状とされている。
【００２９】
壁面１５ｂには、遮光部１６が設けられている。この遮光部１６は、たとえば壁面１５ｂの一部を角張らせることにより設けられており、図１の符号ｎ２で示すように、各ＬＥＤチップ６から読み取り領域Ｓに向けて光が直接進行することを阻止できるようになっている。この遮光部１６は、壁面１５ａ〜１５ｃと同様に、主走査方向（複数の受光素子７の列方向）に一様に延びている。ただし、このような構成に代えて、各ＬＥＤチップ６に対応させて複数の遮光部を主走査方向に断続的に設けた構成とすることもできる。また、遮光部１６をケース１とは別体の部材により構成することもできる。遮光部１６の表面は、壁面１５ａ〜１５ｃと同様に、光の反射率が高い白色面である。
【００３０】
次に、上記構成の画像読み取り装置Ａの作用について説明する。
【００３１】
まず、各ＬＥＤチップ６を発光させると、その光は壁面１５ａ，１５ｂによって高い反射率で反射されながら照明用光路１４内を透明板２に向けて進行し、読み取り領域Ｓに位置する原稿Ｄの表面に照射される。壁面１５ｂの遮光部１６は、各ＬＥＤチップ６から読み取り領域Ｓに向けて光が直接進行することを阻止するために、読み取り領域Ｓの各ＬＥＤチップ６に対応する箇所の照度が他の部分の照度よりも高くならないようにすることができる。
【００３２】
遮光部１６に到達した光は反射されるために、この反射光については、その後照明用光路１４内における反射を繰り返させることにより、最終的には読み取り領域Ｓに到達させることができる。したがって、各ＬＥＤチップ６から発せられた光を遮光部１６によって遮ることに起因して、読み取り領域Ｓの照度が大きく低下することはない。この画像読み取り装置Ａにおいては、各ＬＥＤチップ６から発せられる光束密度の高い光線が遮光部１６によって高い反射率で反射され、これが読み取り領域Ｓの各所に到達するために、却って読み取り領域Ｓの全体の照度を高くすることが可能となる。
【００３３】
読み取り領域Ｓに光が到達すると、この光は原稿Ｄの表面によって反射されることにより、レンズアレイ３の各レンズ３１を透過して各受光素子７によって受光される。この場合、照明用光路１４内を進行する光や原稿Ｄによって反射された光としては、凹部１０の側壁１０ｂとレンズアレイ３との隙間内を下方に向けて進行する光がある。ところが、このような光は、図３に示すように、各係合用凸部１８が設けられている下方領域においては、カバー体４の各第２の突起４２によって遮られ、かつ吸収される。とくに、各第２の突起４２には、上記隙間内における光の進行方向に対して直交する第２の面４２ｂが設けられているために、この第２の面４２ｂの存在によって光の遮断が確実化される。
【００３４】
また、図４に示すように、接着剤３９が充填された穴部１７が設けられた箇所においても、凹部１０の側壁１０ｂとレンズアレイ３との隙間内を下方に進行する光は、カバー体４の第３の突起４３によって遮られ、かつ吸収される。この場合においても、光の進行方向に対して直交する第２の面４３ｂが、上記光を確実に遮る。穴部１７の上方から穴部１７に向けて進行する光については、レンズアレイ３に密着している接着剤３９によって遮ることが可能である。
【００３５】
第２の突起４２や第３の突起４３が設けられていない図１に示す断面部分においては、既述したとおり、凹部１０に底面１０ａが設けられているために、この底面１０ａが側壁１０ｂとレンズアレイ３との隙間内を進行してくる光を適切に遮る。したがって、この画像読み取り装置Ａにおいては、凹部１０およびレンズアレイ３の全長域にわたって、それらの隙間内を光が不当に通過しないようにすることができ、この光が各受光素子７によって受光されないようにすることができる。その結果、各受光素子７から出力される読み取り画像信号にノイズが混入しないようにすることができ、読み取り画像の質を高めることが可能となる。
【００３６】
照明用光路１４内を上方に進行した光としては、壁面１５ｃによって反射されてから読み取り領域Ｓに到達する光もある。これに対し、図４に示すように、穴部１７は壁面１５ｃに開口しないように設けられており、壁面１５ｃは読み取り領域Ｓの長手方向に一様に延びている。したがって、壁面１５ｃに穴部１７を開口させた場合とは異なり、壁面１５ｃの光の反射具合がその長手方向各所において不均一にならないようにすることができる。その結果、読み取り領域Ｓの照度に大きなバラツキを生じさせないようにすることもできる。
【００３７】
本願発明に係る画像読み取り装置の各部の具体的な構成は、上述の実施形態に限定されず、種々に設計変更自在である。
【００３８】
たとえば、上述の実施形態においては、カバー体４の長手方向の一部分のみをレンズアレイ３に接触させているが、本願発明はこれに限定されない。本願発明においては、たとえばカバー体４の長手方向の全長域または略全長域を、図３に示す構造のように、レンズアレイ３に接触させた構造にしてもかまわない。また、カバー体４をレンズアレイ３に接触させる場合の具体的な構造としては種々の態様が考えられ、本願発明はその具体的な態様はとくに限定されるものではない。係合用凸部１８の下方においてカバー体４をレンズアレイ３に接触させる場合には、図３に示したように、カバー体４がレンズアレイ３の下部をその幅方向両側から挟み込む構造とすることが好ましいが、本願発明は必ずしもこれに限定されず、たとえばレンズアレイ３の幅方向片側のみにカバー体４の一部を接触させた構造にしてもかまわない。
【００３９】
本願発明は、光源の種類もＬＥＤ光源に限定されず、他の種類の光源、たとえば線状に延びる冷陰極管を用いることもできる。ケースとしては、白色樹脂製以外のものを用いることも可能である。照明用光路を規定する壁面を光の反射が可能な面とする手段としては、照明用光路の壁面にたとえば白色塗装を施すような手段を用いることもできる。また、本願発明でいう照明用光路とは、空洞状に形成されているものと、内部にプリズムなどの導光用部材が収容された非空洞状に形成されているものとのいずれをも含む。本願発明に係る画像読み取り装置は、プラテンローラに対向して設けられるタイプのもの、あるいはハンディスキャナタイプのものとして構成されるに限らず、たとえば原稿を上面に載置するための透明な原稿載置板の下方に、所定の部品が組み付けられているケースが配され、かつこのケースが副走査方向に水平移動するように設けられるいわゆるフラットベッド型の画像読み取り装置として構成することもできる。
【図面の簡単な説明】
【図１】本願発明に係る画像読み取り装置の一例を示す断面図である。
【図２】図１に示す画像読み取り装置の分解斜視図である。
【図３】図１に示す画像読み取り装置の他の部分の構造を示す断面図である。
【図４】図１に示す画像読み取り装置の他の部分の構造を示す断面図である。
【図５】ケースに設けられた穴部に接着剤を充填する作業例を示す断面図である。
【図６】従来技術を示す断面図である。
【図７】従来技術を示す断面図である。
【符号の説明】
Ａ  画像読み取り装置
Ｓ  読み取り領域
Ｄ  原稿
１  ケース
２  透明板
３  レンズアレイ
４  カバー体
６  ＬＥＤチップ（光源）
７  受光素子
１０  凹部
１４  照明用光路
１５ａ〜１５ｃ  壁面
１６  遮光部
１７  穴部
１８  係合用凸部
３０  ホルダ
３１  レンズ
３９  接着剤
４２ａ  第１の面
４２ｂ  第２の面
【図１】
0004047507.tif 000002
【図２】
0004047507.tif 000003
【図３】
0004047507.tif 000004
【図４】
0004047507.tif 000005
【図５】
0004047507.tif 000006
【図６】
0004047507.tif 000007
【図７】
0004047507.tif 000008